(57)【特許請求の範囲】
【請求項１】
グリップが回動可能に取り付けられる撮像装置であって、
前記グリップに形成される雌ネジ部と螺合可能な雄ネジ部が形成されるネジ部材と、
前記雄ネジ部の内側に配置され、前記グリップに形成される凹凸部と係合可能な凹凸形状を有する係合部材と、
前記係合部材の内側に配置され、前記グリップのピンプラグと接続可能なピンジャックと、
を有することを特徴とする撮像装置。
【請求項２】
撮像装置に対して回動可能に取り付けられるグリップであって、
前記撮像装置に形成される雄ネジ部と螺合可能な雌ネジ部が形成されるネジ部材と、
前記雌ネジ部の内側に配置され、前記撮像装置に形成される凹凸部と係合可能な凹凸形状を有する係合部材と、
前記係合部材の内側に配置され、前記撮像装置のピンジャックと接続可能なピンプラグと、
を有することを特徴とするグリップ。
【請求項３】
前記ピンプラグは、前記グリップの内部に収納されるケーブルの先端に形成され、前記係合部材の内側から引き出し可能であることを特徴とする請求項２に記載のグリップ。
【請求項４】
第１の連結部を備えた撮像装置と、前記第１の連結部に対して回動可能に取り付けられる第２の連結部を備えたグリップと、を含む撮像システムであって、
前記第１の連結部は、雄ネジ部が形成される第１のネジ部材と、前記第１のネジ部材の内側に配置され、第１の凹凸形状を有する第１の係合部材と、前記第１の係合部材の内側に配置されるピンジャックと、を備え、
前記第２の連結部は、前記撮像装置の前記雄ネジ部と螺合可能な雌ネジ部が形成される第２のネジ部材と、前記第２のネジ部材の内側に配置され、前記撮像装置の前記第１の凹凸形状と係合可能な第２の凹凸形状を有する第２の係合部材と、前記第２の係合部材の内側に配置され、前記撮像装置の前記ピンジャックと接続可能なピンプラグと、を備え、
前記第１の係合部材と前記第２の係合部材とが係合された状態で、前記雄ネジ部と前記雌ネジ部とが螺合されることを特徴とする撮像システム。
【請求項５】
前記ピンプラグは、前記グリップの内部に収納されるケーブルの先端に形成され、前記第２の係合部材の内側から引き出し可能であることを特徴とする請求項４に記載の撮像システム。
【請求項６】
前記ケーブルは、弾性部材により前記グリップの内部に引き込まれることを特徴とする請求項５に記載の撮像システム。
【発明の詳細な説明】
【技術分野】
【０００１】
本発明は、撮像装置、グリップ及び撮像システムに関する。
【背景技術】
【０００２】
撮像装置を小型にすることで、狭い場所での撮影が可能になり、さらに、装置を固定する器具が小型化できるというメリットがある。このため、撮像装置を三脚に据え付けて撮影を行う場合に不要となるカメラグリップを、撮像装置から取り外し可能な撮像システムが求められている。
【０００３】
特許文献１は、撮影時に撮影者に把持されるカメラ本体に対して回動可能なグリップ部を有するカメラグリップを提案している。
【先行技術文献】
【特許文献】
【０００４】
【特許文献１】特開２００５−１８１７１８号公報
【発明の概要】
【発明が解決しようとする課題】
【０００５】
しかしながら、特許文献１はカメラグリップの固定部に電気通信用の接点部を有しているため、グリップ部を回動させ取り付け位置を変更したときに、カメラグリップの固定部に外から衝撃が加わった場合、接点部にも衝撃が伝わり接触が不安定になってしまう。
【０００６】
本発明は、カメラグリップを回動させ取り付け位置を変更したときに、カメラグリップに外から衝撃が加わっても、接触が安定した電気通信が可能となる撮像システムを提供することを目的の１つとしている。
【課題を解決するための手段】
【０００７】
本発明の一側面としての撮像装置は、グリップが回動可能に取り付けられる撮像装置であって、前記グリップに形成される雌ネジ部と螺合可能な雄ネジ部が形成されるネジ部材と、前記雄ネジ部の内側に配置され、前記グリップに形成される凹凸部と係合可能な凹凸形状を有する係合部材と、前記係合部材の内側に配置され、前記グリップのピンプラグと接続可能なピンジャックと、を有することを特徴とする。
【０００８】
また、本発明の他の側面としてのグリップは、撮像装置に対して回動可能に取り付けられるグリップであって、前記撮像装置に形成される雄ネジ部と螺合可能な雌ネジ部が形成されるネジ部材と、前記雌ネジ部の内側に配置され、前記撮像装置に形成される凹凸部と係合可能な凹凸形状を有する係合部材と、前記係合部材の内側に配置され、前記撮像装置のピンジャックと接続可能なピンプラグと、を有することを特徴とする。
【０００９】
また、本発明の他の側面としての撮像システムは、第１の連結部を備えた撮像装置と、前記第１の連結部に対して回動可能に取り付けられる第２の連結部を備えたグリップと、を含む撮像システムであって、前記第１の連結部は、雄ネジ部が形成される第１のネジ部材と、前記第１のネジ部材の内側に配置され、第１の凹凸形状を有する第１の係合部材と、前記第１の係合部材の内側に配置されるピンジャックと、を備え、前記第２の連結部は、前記撮像装置の前記雄ネジ部と螺合可能な雌ネジ部が形成される第２のネジ部材と、前記第２のネジ部材の内側に配置され、前記撮像装置の前記第１の凹凸形状と係合可能な第２の凹凸形状を有する第２の係合部材と、前記第２の係合部材の内側に配置され、前記撮像装置の前記ピンジャックと接続可能なピンプラグと、を備え、前記第１の係合部材と前記第２の係合部材とが係合された状態で、前記雄ネジ部と前記雌ネジ部とが螺合されることを特徴とする。
【発明の効果】
【００１０】
本発明によれば、カメラグリップを回動させ取り付け位置を変更したときに、カメラグリップに外から衝撃が加わっても、接触が安定した電気通信が可能となる撮像システムを提供することができる。
【図面の簡単な説明】
【００１１】
【図１】本発明の実施例である撮像装置とカメラグリップの斜視図である。
【図２】実施例の撮像装置に対してカメラグリップが回転して取り付いた状態を示す側面図である。
【図３】実施例の撮像装置の一部と撮像装置側連結部との分解斜視図である。
【図４】実施例のカメラグリップとカメラグリップ側連結部との分解斜視図である。
【図５】実施例のカメラグリップが撮像装置に固定されているときの連結部の断面図である。
【発明を実施するための形態】
【００１２】
図１は、本発明の実施例である撮像装置１１０とカメラグリップ２１０の斜視図である。カメラグリップ２１０を撮像装置１１０に対して回動可能に取り付けることによって、撮影者が把持しながら撮影することができる撮像システムとして使用される。
【００１３】
図２は、実施例の撮像装置１１０に対してカメラグリップ２１０が回転して取り付いた状態を示す側面図である。
【００１４】
１００は撮像装置側連結部（第１の連結部）であり、２００はカメラグリップ側連結部（第２の連結部）である。撮像装置側連結部１００とカメラグリップ側連結部２００によって、回転中心（回転中心部）Ｏを中心に、撮像装置１１０に対してカメラグリップ２１０を傾けて取り付けることが可能である。
【００１５】
図２（ａ）は、撮像装置１１０に対してカメラグリップ２１０が正位置で取り付いた状態を示す。１１４は撮像装置の底面部、２１９はカメラグリップ２１０の底面部である。図２（ｂ）は、撮像装置１１０に対してカメラグリップ２１０が図２（ａ）に図示する正位置から回転中心Ｏに対して時計回りに３０°回転して取り付いた状態を示す。図２（ｃ）は、撮像装置１１０に対してカメラグリップ２１０が図２（ａ）に図示する正位置から回転中心Ｏに対して反時計回りに１５°回転して取り付いた状態を示す。いずれの場合も、カメラグリップ２１０の底面部２１９は撮像装置１１０の底面部１１４と同じ高さであり、平面に置いたときに同時に接地する。つまり、カメラグリップ２１０の外形の一部を、回転中心Ｏを中心とした円弧状にすることで、カメラグリップ２１０を回転して撮像装置１１０に取り付けても、同時に接地することが可能となっている。これにより、撮像装置１１０の転倒を抑制することが可能となる。
【００１６】
図３は、実施例の撮像装置の一部と撮像装置側連結部との分解斜視図である。図３（ａ）は図１（ａ）と同じ方向から見た分解斜視図であり、図３（ｂ）は図１（ｂ）と同じ方向から見た分解斜視図である。
【００１７】
１１１は、カメラグリップ２１０との電気通信用ピンジャックである。
【００１８】
１２０は、撮像装置側固定部材である。１２１は雄ネジ部、１２５はカメラグリップ側固定部材との接触面である。
【００１９】
また、ネジ径が大きいほど撮像装置１１０に対するカメラグリップ２１０の締結力が高まるので、雄ネジ部１２１の径は大きいほど望ましい。また、径を大きくすることで生まれる撮像装置側連結部１００の内部の空間には、電気通信用ピンジャック１１１が設けられている。
【００２０】
１４０は、撮像装置側係合部材である。１４３は、複数のギア山部とギア谷部が交互に等間隔で設けられ、撮像装置側係合部材１４０の外周に形成されている凹凸形状である。１４７は、撮像装置側係合部材１４０の開口部である。
【００２１】
図４は、実施例のカメラグリップ２１０とカメラグリップ側連結部２００との分解斜視図である。図４（ａ）は図１（ａ）と同じ方向から見た分解斜視図であり、図４（ｂ）は図１（ｂ）と同じ方向から見た分解斜視図である。
【００２２】
２１１は、電気通信用ピンジャック１１１と接続する電気通信用ピンプラグである。２１２は、電気通信用ピンプラグ２１１を一端に配接したカメラグリップ内部に収納可能な伸縮自在のケーブルである。２１７はブッシュであり、２１８は電気接続コネクタである。電気接続コネクタ２１８は、ケーブル２１２に電気通信用ピンプラグ２１１と反対側の他端に配接されている。ブッシュ２１７は、電気通信用ピンプラグ２１１と電気接続コネクタ２１８との間に配置されている。ブッシュ２１７の位置を移動させることで、ケーブル２１２のカメラグリップ２１０に対する引き出し量の調整をすることが可能となる。
【００２３】
２２０は、カメラグリップ側固定部材である。２２４は、撮像装置側固定部材との接触面である。２２５は、後述する締結部材２３０との接触面である。
【００２４】
２３０は、締結部材である。２３１は雌ネジ部、２３２は指係り部、２３５は撮像装置側固定部材との接触面２２４との接触面である。
【００２５】
撮像装置側連結部１００と同様に、ネジ径が大きいほど撮像装置１１０に対するカメラグリップ２１０の締結力が高まるので、雌ネジ部２３１の径は大きいほど望ましい。また、径を大きくすることで生まれるカメラグリップ側連結部２００の内部の空間に、電気通信用ピンプラグ２１１を設ける。
【００２６】
２４０は、カメラグリップ側係合部材である。２４３は、複数のギア山部とギア谷部が交互に等間隔で設けられ、カメラグリップ側係合部材２４０の外周に形成されている凹凸形状である。
【００２７】
ここで、撮像装置側連結部１００と同様に、ネジ径が大きいほど撮像装置１１０に対するカメラグリップ２１０の締結力が高まるので、雌ネジ部２２１の径は大きいほど望ましい。径を大きくすることで生まれるカメラグリップ側連結部２００の内部の空間には、電気通信用ピンプラグ２１１が設けられている。
【００２８】
３００はカメラグリップの前面カバー、３１０はカメラグリップの背面カバー、３２０はカメラグリップの天面カバー、３３０は連結部固定カバーである。また、カメラグリップは、図示しないグリップベルトを有する。
【００２９】
３０１は弾性部材、３０２はグリップベルトが挿通するベルト穴、３０３は弾性部材３０１の抜け止めを目的とした弾性部材係り溝、３０４はベルト穴３０２と弾性部材係り溝３０３と、を有したグリップベルト吊り金具である。これらはいずれも前面カバーに取り付けられている。なお、弾性部材３０１はＯ字型であり、ケーブル２１２を挿通させる。さらに、弾性部材３０１の引張力やケーブル２１２の引き出し量を調整しやすくするため、弾性部材係り溝３０３は、後述するケーブル２１２の挿通口３３１から距離の離れた箇所に設ける。また、グリップベルト吊り金具３０４に弾性部材係り溝３０３を設けることにより、弾性部材３０１の抜け止め専用の部品を必要としない。
【００３０】
３２１は撮影開始と終了の指示が可能なＳＴＡＲＴ／ＳＴＯＰスイッチ、３２２はレンズ（図示せず）の絞り量の調整が可能な絞り調整ダイヤルである。また、天面カバーに背面カバー３１０側に配設された表示領域の一部を切り出して拡大表示が可能な表示拡大スイッチと背面カバー３１０側に配設された表示手段に表示されたメニュー内でカーソルを移動することが可能な十字キーが配置されている。
【００３１】
３２５は基板、３２６は電気接続ハウジング、３２７はグリップベルトを通すベルト穴、３２８はベルト穴３２７を有したグリップベルト吊り金具である。
【００３２】
操作スイッチの電気信号は、基板３２５に集合し、電気接続ハウジング３２６、電気接続コネクタ２１８、電気通信用ピンプラグ２１１、電気通信用ピンジャック１１１を介して撮像装置１１０との通信を行う。
【００３３】
３３１は、ケーブル２１２の電気接続コネクタ２１８とブッシュ２１７が挿通可能、且つ、電気通信用ピンプラグ２１１が挿通不可能な大きさの挿通口、ケーブル２１２のブッシュ２１７が係合可能なＵ字形状である。３３２は、ケーブル２１２のブッシュ２１７が係合可能なＵ字形状である。挿通口３３１、Ｕ字形状３３２はいずれも連結部固定カバー３３０に設けられている。挿通口３３１を上述のような開口にすることで、電気通信用ピンプラグ２１１がカメラグリップ２１０内に脱落し、ユーザが抜き出せなくなる事態を回避することが可能となる。
【００３４】
グリップベルトは、前面カバー３００に取り付いたグリップベルト吊り金具３０４と天面カバー３２０に取り付いたグリップベルト吊り金具３２８に掛装され、ユーザがカメラグリップ２１０を把持するときに手の甲に当てる甲当て（図示せず）を保持する。このとき、グリップベルト吊り金具３０４、３２８は、ユーザの手に触れる可能性があるため、ユーザが金具のバリで怪我をしないように、バリ取りをするためのバレル研磨を施してある。このため、グリップベルト吊り金具３０４が、弾性部材３０１を傷つけて破損させることはない。なお、グリップベルト吊り金具３０４、３２８のように、ユーザの手に触れる可能性のある部品は、成形部品にせよ、切削部品にせよ、バリの処理が必要となる。
【００３５】
図５は、実施例のカメラグリップが撮像装置に固定されているときの連結部の断面図である。
【００３６】
カメラグリップ２１０を撮像装置１１０に固定するために、まず、電気通信用ピンプラグ２１１を電気通信用ピンジャック１１１に挿入する。
【００３７】
次に、撮像装置側係合部材１４０の凹凸形状１４３とカメラグリップ側係合部材２４０の凹凸形状２４３とを任意の取り付け位置で係合させる。凹凸形状同士を係合させることで、カメラグリップ２１０が撮像装置１１０に対して取り付け位置から回転することを防止している。
【００３８】
その後、雄ネジ部１２１と雌ネジ部２３１を螺合させる。これにより、カメラグリップ側固定部材との接触面１２５と撮像装置側固定部材１２０との接触面２２４とが接触する。さらに、締結部材２３０との接触面２２５とカメラグリップ側固定部材との接触面２３５とが接触する。これらの接触面を介して、撮像装置１１０とカメラグリップ２１０が固定される。
【００３９】
電気通信用ピンジャック１１１と電気通信用ピンプラグ２１１とは、ピン型の電気通信用接点を用い、さらに、回転中心Ｏに配設する。これにより、電気通信用ピンプラグ２１１がカメラグリップ２１０の回転に追従して動きやすくなるため、ストレスがかかって電気通信用ピンプラグ２１１が抜けることを防止することが可能になる。また、連結構造の内部にケーブル２１２があるため、意図せぬユーザの動作で、電気通信用ピンプラグ２１１が抜けることを防止することが可能となる。
【００４０】
なお、本実施例ではピンプラグとピンジャックを用いて電気通信を行っている。ピンプラグとピンジャックによる結合であれば、ピンジャックに対するピンプラグの回転を許容する。ピンプラグとピンジャックによる結合に代えて、連結部の内部の空間を使って、スプリングコネクタを用いて電気通信を行ってもよい。また、光通信・電波通信を用いた非接触通信を行ってもよい。
【００４１】
ケーブル２１２のカメラグリップ２１０に対する取り付けは、ケーブル２１２の電気接続コネクタ２１８とブッシュ２１７を、挿通口３３１、弾性部材３０１、の順に挿通させる。そして、Ｕ字形状３３２にブッシュ２１７を係合し、最後に電気接続コネクタ２１８を基板３２５の電気接続ハウジング３２６に挿入する。
【００４２】
このような構成にすることで、カメラグリップ２１０の外装に衝撃が加わっても、ケーブル２１２が緩衝材として働くため、ケーブル２１２の端に設けられている電気通信用ピンプラグ２１１には衝撃が伝わりづらくなる。そして、衝撃によって電気通信用ピンプラグ２１１が抜けることを回避することが可能になる。
【００４３】
また、弾性部材３０１により、カメラグリップ２１０から電気通信用ピンプラグ２１１を引き出した場合、ケーブル２１２がカメラグリップ２１０内に収納される方向に力が働く。そのため、カメラグリップ２１０を撮像装置１１０に固定するときに、ケーブル２１２が引き込まれるため、連結構造にケーブル２１２を挟み込むことが無くなる。
【００４４】
このとき、弾性部材３０１の引張力により電気通信用ピンプラグ２１１が抜けないようにするために、弾性部材３０１の引張力を電気通信用ピンジャック１１１と電気通信用ピンプラグ２１１との接合力よりも小さくすることが望ましい。さらに、同様の目的から、カメラグリップ固定時には弾性部材３０１からの引張力が無いことが望ましい。
【００４５】
そして、ブッシュ２１７がＵ字形状３３２に係合していることで、ケーブル２１２をカメラグリップ２１０から引っ張り出し過ぎたときのストッパーとなる。
【００４６】
以上、本発明の好ましい実施形態について説明したが、本発明はこれらの実施形態に限定されず、その要旨の範囲内で種々の変形及び変更が可能である。
【符号の説明】
【００４７】
１００  撮像装置側連結部
１１０  撮像装置
１１１  電気通信用ピンジャック
２００  カメラグリップ側連結部
２１０  カメラグリップ
２１１  電気通信用ピンプラグ
【図１】
0005917086.tif 000002
【図２】
0005917086.tif 000003
【図３】
0005917086.tif 000004
【図４】
0005917086.tif 000005
【図５】
0005917086.tif 000006